(57)【要約】【課題】  通行を制限する手段において、開閉操作を簡単にし、必要時以外に開放しないようにする。【解決手段】  通路の手摺部９に固定される固定部２と、固定部２に対し起伏自在であって、立てた状態から自重により横に倒れた状態に戻るよう取り付けられた遮断棒８とを備える。  これによって、通行後に遮断棒８を開けてそのまま放置した場合でも、遮断棒８が自動的に閉まり、通路を遮断した状態に保つことで、閉め忘れによる事故を未然に防ぐ。  また、この動作は他の動力源を必要とせず、遮断棒８の自重により動作するので、電源等の無い場所にも設置できる。【選択図】図４
2005048474.tif 000002
【特許請求の範囲】
【請求項１】
通路の手摺部に固定される固定部と、
前記固定部に対し起伏自在であって、立てた状態から自重により横に倒れた状態に戻るよう取り付けられた遮断棒とを備えることを特徴とする遮断機。
【請求項２】
前記固定部は、前記手摺部を挿通する角パイプを有し、
前記角パイプの側面に丁番を介して前記遮断棒が取り付けられていることを特徴とする請求項１に記載の遮断機。
【発明の詳細な説明】
【技術分野】
【０００１】
本発明は、遮断機に関する。
【背景技術】
【０００２】
従来より、車両や人員の通行を規制する箇所には、ロープやチェーンを架けたり、遮断機（例えば特許文献１参照）を設置したりして不用意な進入を防止している。
特に建設現場の足場では、歩道の端部のような危険な箇所に、ロープやチェーンを架け、必要なときには取り外して作業できるようにしている。
【特許文献１】特開平１１−１７２６４２号公報
【発明の開示】
【発明が解決しようとする課題】
【０００３】
ロープやチェーンは、設置や撤去が簡単であるが、これらを作業員の出入りのある箇所に設置した場合、出入りの度に架けたり取り外したりしなければならず、その操作が面倒であった。
また、ロープやチェーンを取り外して作業した後に、架け忘れが起きるなどの不都合が生じていた。
【０００４】
本発明の課題は、通行を制限する手段において、開閉操作を簡単にし、必要時以外に開放しないようにすることである。
【課題を解決するための手段】
【０００５】
以上の課題を解決するため、請求項１に記載の発明は、例えば、図２に示すように、通路の手摺部９に固定される固定部２と、前記固定部２に対し起伏自在であって、立てた状態から自重により横に倒れた状態に戻るよう取り付けられた遮断棒８とを備えることを特徴とする。
【０００６】
このように、立てた状態から自重により横に倒れた状態に戻るよう遮断棒８を取り付けたことで、遮断棒８を開けてそのまま放置した場合でも、遮断棒８が自動的に閉まる。
これによって、通行した後は通路が遮断された状態に保たれ、閉め忘れによる事故を未然に防ぐ。
また、この動作は他の動力源を必要とせず、遮断棒８の自重により動作するので、電源等のない場所にも設置できる。
【０００７】
請求項２に記載の発明は、請求項１に記載の遮断機であって、例えば、図２に示すように、前記固定部２は、前記手摺部９を挿通する角パイプ３を有し、前記角パイプ３の側面に丁番７を介して前記遮断棒８が取り付けられていることを特徴とする。
【発明の効果】
【０００８】
請求項１に記載の発明によれば、固定部に遮断棒を、その自重により横に倒れた状態に戻るように取り付けたので、必要時以外は遮断棒が閉じた状態になり、閉め忘れによる事故を未然に防ぐ。
また、電源等の無い場所でも設置できる。
【発明を実施するための最良の形態】
【０００９】
以下、図を参照して、本発明を実施するための最良の形態を詳細に説明する。
図１と図２は、本発明を適用した一実施の形態である、遮断機１の概略構成を表す図である。
遮断機１は、手摺部９に固定する固定部２と遮断棒８からなり、危険な箇所の境界等に取り付けられ、遮断棒８の開閉によって人員の通行を制限するものである。
【００１０】
遮断機１の固定部２は角パイプ３からなり、その内径は、遮断機１を取り付ける手摺部９を挿通することのできる大きさである。
なお、角パイプ３の長さは、遮断棒８を取り付ける丁番７の幅と同じ長さになっている。
角パイプ３の相対する二面には、中央部にボルト６を通すボルト穴４があけられている。この二つのボルト穴４の中心は、その面に垂直な同じ軸上に位置している。
このボルト穴４のあけられた面の外側には、ナット５がその中心とボルト穴４の中心とが一致するように溶接されている。
そしてこのナット５には、それぞれボルト６が取り付けられている。
この二本のボルト６は、角パイプ３内に挿通した手摺部９を、上下から締め付けて遮断機１を固定するもので、ボルト６を完全に締め付けたときに、両者が接することができる長さがあればよい。
【００１１】
角パイプ３のナット５を溶接していない一面には、丁番７の一方の金属板７ａが溶接されており、その金属板７ａの長辺は、ナット５を溶接した面に接し、短辺は角パイプ３の開口部に接している。
そして、この丁番７の他方の金属板７ｂには、遮断棒８の一端が溶接されている。
【００１２】
次に、以上のように構成される遮断機１の使用方法について説明する。
図２に示すように、遮断機１は、固定部２のボルト６が上下になり、さらに、丁番７の二つの金属板７ａ、７ｂの内、固定部２に溶接された金属板７ａが上になる向きで使用する。
遮断機１を固定するには、角パイプ３に手摺部９をなすアングルを挿通し、上下のボルト６を締め付けることによって固定する。
このように取り付けたとき、遮断棒８はその自重によって横に倒れた状態となる。つまり、図４に示したように、通常は通路を遮断した状態に保たれる。
また、図３には手摺部９が単管の場合を示した。
【００１３】
通行の際は、手動で遮断棒８を図２に点線で示した位置まで回動して、図５に示すように、遮断棒８を通路から退避させる。
遮断機１を通過した後、図２の点線に示した位置にある遮断棒８は、その自重によって図４に示したように、もとの横に倒れた位置まで自動的に戻る。
以上のように、遮断機１は、通常は通路を遮断した状態に保たれていて、通行の際に手動で遮断棒８を上げる。そして、通過後は自動的にもとの位置まで遮断棒８が戻り、再び通路を遮断した状態に保たれる。
【００１４】
なお、以上の実施の形態においては、手摺部９を固定部２に挿通する構造としたが、本発明はこれに限定されるものではなく、他の固定方法を用いても良い。
また、遮断棒８の材質等も任意であり、その他、具体的な細部構造等についても適宜に変更可能であることは勿論である。
【図面の簡単な説明】
【００１５】
【図１】本発明を適用した一実施の形態の構成を示す、遮断機の平面図である。
【図２】アングルに取り付けた遮断機の正面図である。
【図３】単管に取り付けた遮断機の正面図である。
【図４】遮断機が閉じた状態の図である。
【図５】遮断機が開いた状態の図である。
【符号の説明】
【００１６】
１  遮断機
２  固定部
３  角パイプ
４  ボルト穴
５  ナット
６  ボルト
７  丁番
７ａ、７ｂ  金属板
８  遮断棒
９  手摺部
１０  通路
１１  型枠
【図１】
2005048474.tif 000003
【図２】
2005048474.tif 000004
【図３】
2005048474.tif 000005
【図４】
2005048474.tif 000006
【図５】
2005048474.tif 000007